(57)【要約】【課題】本願発明に係る携帯電話機は、ローミング中に携帯電話機が盗難にあっても、携帯電話機の不正使用を防止することを目的とする。  【解決手段】  本発明の通信装置は、ネットワークを介して通信可能な通信装置において、他の通信装置との通信に使用し、接続可能なネットワークを選択する選択手段と、現在時刻が、選択したネットワークの使用可能期間内であるか否かを判別する判別手段と、該現在時刻が該使用期間外であるとき、該選択したネットワークを介して他の通信装置との通信を禁止する禁止手段とからなることを特徴とする。【選択図】  図1
2008126281.tif 000002
【特許請求の範囲】
【請求項１】
ネットワークを介して通信可能な通信装置において、
他の通信装置との通信に使用し、接続可能なネットワークを選択する選択手段と、
現在時刻が、選択したネットワークの使用可能期間内であるか否かを判別する判別手段と、
該現在時刻が該使用期間外であるとき、該選択したネットワークを介して他の通信装置との通信を禁止する禁止手段と、
からなることを特徴とする通信装置。
【請求項２】
請求項１に記載の通信装置において、
該ネットワークはローミング通信に使用するネットワークであることを特徴とする通信装置。
【請求項３】
請求項２に記載の通信装置は、
さらに該ローミング通信に使用するネットワークを識別するネットワーク番号と該ネットワークが属する国を識別する国番号を記憶する記憶手段と、
からなることを特徴とする通信装置。
【請求項４】
請求項３に記載の通信装置において、
該記憶手段は、該ネットワーク番号と該国番号と関連付けて、該ネットワーク番号が識別するネットワークの使用可能期間を記憶することを特徴とする通信装置。
【請求項５】
請求項１に記載の通信装置は、
さらに該通信装置の識別情報を保持するＵＳＩＭカードを備えることを特徴する通信装置。
【請求項６】
請求項５に記載の通信装置は、
該現在時刻を計測する計測し、時計を有し、
該ＵＳＩＭカードは、該時計が計測する現在時刻を定期的に記憶することを特徴とする通信装置。
【請求項７】
請求項６に記載の通信装置は、
さらに所定の時間間隔で該ＵＳＩＭカードに記憶する現在時刻を更新する更新手段を有することを特徴とする通信装置。
【請求項８】
請求項１に記載の通信装置は、携帯電話機であることを特徴とする通信装置。
【請求項９】
請求項１に記載の通信装置は、
さらに携帯電話機が待ち受け状態であるか否かを判別する判別手段を有することを特徴とする通信装置。
【請求項１０】
請求項１に記載の通信装置は、基地局を介して位置情報を取得することを特徴とする通信装置。
【請求項１１】
請求項１に記載の通信装置は、該使用可能期間についてセキュリティロックをかけることを特徴とする通信装置。
【請求項１２】
ネットワークを介して通信可能な通信装置において実行する不正通信防止方法において、
他の通信装置との通信に使用し、接続可能なネットワークを選択する選択手順と、
現在時刻が、選択したネットワークの使用可能期間内であるか否かを判別する判別手順と、
該現在時刻が該使用期間外であるとき、該選択したネットワークを介して他の通信装置との通信を禁止する禁止手順と、
からなることを特徴とする不正通信防止方法。
【請求項１３】
ネットワークを介して通信可能な通信装置において実行する不正通信防止プログラムにおいて、通信装置が、
他の通信装置との通信に使用し、接続可能なネットワークを選択する選択ステップと、
現在時刻が、選択したネットワークの使用可能期間内であるか否かを判別する判別ステップと、
該現在時刻が該使用期間外であるとき、該選択したネットワークを介して他の通信装置との通信を禁止する禁止ステップと、
を実行することを特徴とする不正通信防止プログラム。
【発明の詳細な説明】
【技術分野】
【０００１】
ローミング機能を有する携帯電話機に関する。
【背景技術】
【０００２】
グローバル化の進む中で、携帯電話機もローミング可能なものが普及してきている。携帯電話機における国際ローミングは、携帯電話機に記憶した国番号（ＭＣＣ：Ｍｏｂｉｌｅ  Ｃｏｕｎｔｒｙ  Ｃｏｄｅ）とネットワーク番号（ＭＮＣ：Ｍｏｂｉｌｅ  Ｎｅｔｗｏｒｋ  Ｃｏｄｅ）を選択設定することによって行う。これよりユーザは、海外でも自身のユーザ情報を用いて通話等を行うことができる。【０００３】
しかしながら、例えば携帯電話機が国際ローミングサービス中に盗難にあった場合、不正に使用され高額の通話料金を請求されるといった被害が問題がある。【０００４】
また携帯電話機のローミング方式に関して以下の特許文献がある。
【特許文献１】特開２００４−１５１７７２号公報
【発明の開示】
【０００５】
（発明が解決しようとする課題）
本願発明に係る携帯電話機は、ローミング中に携帯電話機が盗難にあっても、携帯電話機の不正使用を防止することを目的とする。
（課題を解決するための手段）
本発明の一観点によれば、本発明の通信装置は、ネットワークを介して通信可能な通信装置において、他の通信装置との通信に使用し、接続可能なネットワークを選択する選択手段と、現在時刻が、選択したネットワークの使用可能期間内であるか否かを判別する判別手段と、該現在時刻が該使用期間外であるとき、該選択したネットワークを介して他の通信装置との通信を禁止する禁止手段とからなることを特徴とする。
【０００６】
本発明の一観点によれば、本発明の通信装置は、該ネットワークはローミング通信に使用するネットワークであることを特徴とする。
本発明の一観点によれば、本発明の通信装置は、さらに該ローミング通信に使用するネットワークを識別するネットワーク番号と該ネットワークが属する国を識別する国番号を記録する記録手段とからなることを特徴とする。
【０００７】
本発明の一観点によれば、本発明の通信装置は、該記憶手段は、該ネットワーク番号と該国番号と関連付けて、該ネットワーク番号が識別するネットワークの使用可能期間を記憶することを特徴とする。
【０００８】
本発明の一観点によれば、本発明の通信装置は、さらに該通信装置の識別情報を保持するＵＳＩＭカードを備えることを特徴する。
【０００９】
本発明の一観点によれば、本発明の通信装置は、  該現在時刻を計測する計測し、時計を有し、該ＵＳＩＭカードは、該時計が計測する現在時刻を定期的に記憶することを特徴とする。
【００１０】
本発明の一観点によれば、本発明の不正通信防止方法は、ネットワークを介して通信可能な通信装置において実行する不正通信防止方法において、他の通信装置との通信に使用し、接続可能なネットワークを選択する選択手順と、現在時刻が、選択したネットワークの使用可能期間内であるか否かを判別する判別手順と、該現在時刻が該使用期間外であるとき、該選択したネットワークを介して他の通信装置との通信を禁止する禁止手順とからなることを特徴とする。
【００１１】
本発明の一観点によれば、本発明の不正通信防止プログラムは、ネットワークを介して通信可能な通信装置において実行する不正通信防止プログラムにおいて、通信装置が、他の通信装置との通信に使用し、接続可能なネットワークを選択する選択ステップと、現在時刻が、選択したネットワークの使用可能期間内であるか否かを判別する判別ステップと、該現在時刻が該使用期間外であるとき、該選択したネットワークを介して他の通信装置との通信を禁止する禁止ステップとを実行することを特徴とする。
（発明の効果）
本願発明における携帯電話機によれば、ローミングに用いるネットワーク情報と該ローミングの使用可能期間を関連して管理することによって、ローミング時における携帯電話機の不正使用を防止することができる。
【図面の簡単な説明】
【００１２】
【図１】本実施例に係る通信装置１００のハードブロック図である。
【図２】本実施例に係るＵＳＩＭ１１０の機能ブロック図である。
【図３】本実施例に係るユーザ優先網選択情報ファイル３００である。
【図４】本実施例に係る移動機番号ファイル４００である。
【図５】本実施例に係る最終時刻情報ファイル５００である。
【図６】本実施例に係るＩＭＥＩ書き込みのシーケンス図である。
【図７】本実施例に係る時刻情報の設定のシーケンス図である。
【図８】本実施例に係る時刻情報の更新のシーケンス図である。
【図９】本実施例に係るユーザ優先網選択情報の登録のシーケンス図である。
【図１０】本実施例に係るローミング情報の読み込み処理のフローチャートである。
【図１１】本実施例に係るＰＬＭＮ選択処理の選択のフローチャートである。
【図１２】本実施例に係るＰＬＭＮテーブルの更新処理のフローチャートである。
【図１３】本実施例に係るローミング情報１３００である。
【符号の説明】
【００１３】
１００…携帯電話機
１０１…ＭＰＵ
１０２…ＲＯＭ／ＲＡＭ
１０３…送受信部
１０４…表示部
１０５…音声処理部
１０６…操作部
１０７…ＨＭＩ−ＩＦ
１０８…ＵＳＢ／ＩＦ
１０９…ＵＳＩＭカード／ＩＦ
１１０…ＵＳＩＭカード
１１１…タイマー
２０１…格納領域
２０２…ＭＰＵ
３００…ユーザ優先網選択情報ファイル
４００…移動機番号ファイル
５００…最終時刻情報ファイル
【発明を実施するための最良の形態】
【００１４】
図１は本実施例に係る携帯電話機１００のハードブロック図である。【００１５】
なお本実施例では、通信装置として携帯電話機を例にとり説明するが、これに限定されることはなく、ＰＤＡ（Ｐｅｒｓｏｎａｌ  Ｄｉｇｉｔａｌ  Ａｓｓｉｓｔａｎｔ）などの通信装置であってもよい。【００１６】
携帯電話機１００は、ＭＰＵ（Ｍｉｃｒｏ  Ｐｒｏｃｅｓｓｉｎｇ  Ｕｎｉｔ）１０１、格納部（ＲＯＭ／ＲＡＭ）１０２、送受信部（ＴＲＸ）１０３、表示部（Ｍａｉｎ−ＬＣＤ／Ｓｕｂ−ＬＣＤ）１０４、音声処理部（Ａｕｄｉｏ）１０５、操作部（Ｋｅｙ−ｐａｄ）１０６、ＨＭＩインタフェース（ＨＭＩ−Ｉ／Ｆ）１０７、ＵＳＢインタフェース（ＵＳＢ  Ｉ／Ｆ）１０８、ＵＳＩＭインタフェース（ＵＳＩＭ  Ｉ／Ｆ）１０９、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）１１０、タイマー（ＴＩＭＥＲ）１１１から構成される。【００１７】
ＭＰＵ１０１は、格納部１０２、送受信部１０３、表示部１０４、音声部１０５、操作部１０６などの各種制御を行う。またＭＰＵ１０１は、ＵＳＢインタフェース１０８に接続された外部機器、ＵＳＩＭ１１０に格納されるデータの読み出し、ＵＳＩＭ１１０へデータ書き込み制御も行っている。これらの制御は、ＭＰＵ１０１が有するＲＯＭに格納されている制御プログラムの実行等により処理される。ここで制御プログラムが格納されている場所はＲＯＭに限られることはなく、ＲＯＭに相当する他の記録媒体であっても構わない。本実施例において、携帯電話機１００は一つのＭＰＵ１０１を有し、ＭＰＵ１０１は、携帯電話機１００の制御を統括的に行っているが、これに限定されることはない。例えば携帯電話機１００がＭＰＵ１０１以外に他のＭＰＵを有し、ＭＰＵ１０１は、通信制御を行い、他のＭＰＵは携帯電話機１００に搭載されアプリケーションの制御を行う構成であってもよい。【００１８】
格納部１０２は、ＲＯＭ、ＲＡＭ等を総括的に表しており、着脱可能な記録媒体で構成してもよく、電源を解除しても記憶内容を消失しないメモリとして例えば、フラッシュメモリなどによって構成してもよい。そして格納部１０２には、携帯電話機１００において実行可能なアプリケーションプログラムなども格納されており、ＭＰＵ１０１はアプリケーションプログラムを実行して携帯電話機１００の制御を行う。【００１９】
送受信部１０３は、アンテナを通して無線信号電波の送信及び／又は受信を行う。そして送受信部１０３は、画像を示す信号、通話信号、ダイヤル信号等による搬送信号の変調や復調等を行い、送受信する無線信号電波を生成する。【００２０】
表示部１０４は例えば、ＬＣＤ（Ｌｉｑｕｉｄ  Ｃｒｙｓｔａｌ  Ｄｉｓｐｌａｙ）素子等で構成され、ＭＰＵ１０１に対する各種の入力情報や出力情報を表示する。表示部１０４はハード的に複数のＬＣＤを含む構成であってもよく、例えばメインＬＣＤ、サブＬＣＤから構成されるものでもよい。【００２１】
音声処理部１０５は、マイクロフォン、スピーカを含むものであり、マイクより取り込んだアナログ音声信号をデジタル信号に変換し、ＭＰＵ１０１から出力されるデジタル音声信号をアナログ信号に変換する。スピーカは、ＭＰＵ１０１から出力される音声信号やマイクを通して取り込まれた音声信号の出力に用いられる。【００２２】
操作部１０６は、テンキー、通話キー、終話キー、ファンクションキー、十字キーなどから構成されており、ユーザは該操作部１０６を用いて、通話操作、メールの送受信の操作を行うことができる。またＭＰＵ１０１は、ＨＭＩインタフェース１０７を介して、表示部１０４、音声処理部１０５、操作部１０６の制御を行う。【００２３】
ＵＳＢインタフェース１０８は、外部機器との接続に使用されるものである。そして例えばＭＰＵ１０１は、ＵＳＢインタフェース１０８を介して、接続される外部機器を制御する。【００２４】
ＵＳＩＭ１１０は、ＵＳＩＭインタフェース１０９を介して携帯電話機１００に搭載されている。ＵＳＩＭ１１０は、携帯電話機１００より脱着可能であり、ユーザの電話番号や契約している通信事業者の情報などを記録している。ＵＳＩＭ１１０をＵＳＩＭインタフェース１０９に接続し、携帯電話機１００に装着することによって、携帯電話機１００をＵＳＩＭ１１０内に記録されている電話番号などのユーザ情報によって利用することができる。【００２５】
タイマー１１１は、時計機能を実現するものであり、設定日時、設定時刻より時刻を計測するものである。【００２６】
図２は本実施例に係るＵＳＩＭ１１０の機能ブロック図である。【００２７】
ＵＳＩＭ１１０は、格納領域２０１、ＭＰＵ２０２を有している。格納領域２０１には、ユーザの電話番号、個人情報などが格納されている。また携帯電話機１００は、契約している通信事業者のサービスを、海外の提携事業者の設備を利用して受けられるローミング機能を有している。【００２８】
そしてＵＳＩＭ１１０の格納領域２０１は、図１３に示す携帯電話機１００がローミング機能に用いるのに必要なローミング情報１３００を格納している。図１３は本実施例に係るローミング情報１３００である。ローミング情報１３００は、最終時刻情報ファイル（ＥＦ＿ＤＡＴＥ）５００、移動機番号ファイル（ＥＦ＿ＩＭＥＩ）４００、ホーム網選択情報ファイル（ＥＦ＿ＨＰＬＭＮｗＡｃＴ）１３０３、ユーザ優先網選択情報ファイル（ＥＦ＿ＰＬＭＮｗＡｃＴ）３００、サービス情報ファイルファイル（ＥＦ＿ＵＳＴ）１３０５、サービス許可情報ファイル（ＥＦ＿ＥＳＴ）１３０６、最終登録網情報ファイル（ＥＦ＿ＲＰＬＭＮＡｃＴ）１３０７から構成されている。【００２９】
最終時刻情報ファイル５００は、タイマー１１１が計測する時刻に基づいて、ＭＰＵ１０１が更新する情報である。ＭＰＵ１０１は、タイマー１１１が計測する時刻に基づいて、定期的に図５に示す時刻５０１を更新する。ここでＵＳＩＭ１１０は、時計機能を有していない。そのためＭＰＵ１０１が、携帯電話機１００に搭載するタイマー１１１が計測する時刻を定期的にＵＳＩＭ１１０に書き込み、最終時刻情報ファイル５００の更新を行う。【００３０】
移動機番号ファイル４００は、携帯電話機１００を識別する情報であり、図４に示すように移動機番号４０１が示されている。また携帯電話機１００も格納部１０２に移動機番号１０２１を格納している。ＭＰＵ１０１は格納領域２０１より移動機番号ファイル４００を読み出して、格納部１０２に格納されている移動機番号１０２１と移動機番号４０１を比較する。【００３１】
そして移動機番号４０１と移動機番号１０２１が一致した場合には、ＵＳＩＭ１１０に格納される電話番号などユーザ情報を用いて、携帯電話機１００が使用可能となる。移動機番号４０１と移動機番号１０２１が一致しない場合には、ＵＳＩＭ１１０に格納される電話番号などを用いて、携帯電話機１００は使用することができない。ユーザ情報は電話番号やメールアドレスなどの通信に関する情報のほかに、ユーザが設定するユーザ名、住所情報なども含むものであってもよい。【００３２】
ホーム網選択情報ファイル１３０３は、通信事業者が予め決定したローミングサービスを提供する提携事業者が管理するネットワークを示すネットワーク番号とローミングを行う国を示す国番号を対応付けた情報である。ホーム網選択情報ファイル１３０３は、国番号と該国番号に対応付けたネットワーク番号の組の優先順序が設けられている。ここでＭＰＵ１０１は、ホーム網選択情報ファイル１３０３を用いてローミングを行う場合、優先順位の高い組から順に、使用可能か否か判別する。そして使用名可能な国番号とネットワーク番号の組を判別した後、判別した国番号とネットワーク番号に対応するネットワークを用いて、ＭＰＵ１０１は、ローミングを実行する。【００３３】
図３に示すユーザ優先網選択情報ファイル３００は、ユーザが設定可能な情報であって、国番号３０１、ネットワーク番号３０２、使用開始時刻３０３、使用停止時刻３０４、優先度３０５が対応付けられた情報である。ユーザは国番号３０１とネットワーク番号３０２に対応付けて、使用開始時刻３０３、使用停止時刻３０４を設定することができる。ネットワーク番号３０２に対応するネットワークを用いて、使用開始時刻３０３と使用停止時刻３０４によって決定する使用可能期間は、ローミングを行うことができる。またネットワーク番号に対応するネットワークとは、具体的にはローミングサービスを行う提携通信事業者が有するキャリア・ネットワークである。図３に記載のユーザ優先網選択情報ファイル３００において、国番号３０１とネットワーク番号３０２の組は、ローミングに使用する優先度によってソートされている。この優先度は、ユーザが適宜設定可能である。また本実施例において、キャリア・ネットワークを示すネットワーク番号とローミングを行う国を示す国番号は共に識別番号であるが、ネットワーク、国を識別可能な文字列であれば、番号に限定されるものではない
また使用開示時刻３０３と使用停止事項３０４は、パスワード認証などを求めてセキュリティロックをかけておく。パスワードなどについては、ユーザが設定可能である。これによりユーザは正しいパスワードを入力できなければ、使用開示時刻３０３と使用停止時刻３０４を変更することができないため、使用開示時刻３０３と使用停止時刻３０４を不正に改ざんすることを防ぐことができる。サービス情報ファイル１３０５は、ＵＳＩＭ１１０に格納されるサービス情報であり、ローミングを提供する提携事業者を示す情報である。サービス許可情報ファイル１３０６は、携帯電話機１００により選択されたサービス情報であである。最終登録網情報ファイル１３０７は、最後に使用したネットワーク網を示す情報である。【００３４】
図６は本実施例に係る移動機番号４０１の書き込みのシーケンス図である。【００３５】
携帯電話機１００は、ＵＳＩＭ１１０に対して、パスワード６１と移動機番号４０１の登録を依頼する（Ｓ６０１）。ＵＳＩＭ１１０は、ＭＰＵ２０２を用いてパスワード６１と移動機番号ファイル４００の登録を行う（Ｓ６０２）。ＵＳＩＭ１１０は、パスワード６１と移動機番号ファイル４００の登録を完了した後、パスワード６１と移動機番号ファイル４００の登録を完了したことを示す完了通知を携帯電話機１００に送信する（Ｓ６０３）。【００３６】
パスワード６１及び移動機番号４０１は、格納領域２０１に格納される。ここで携帯電話機１００がＵＳＩＭ１１０に登録するパスワード６１は、移動機番号ファイル４００を更新するのに使用するパスワードである。つまり移動機番号ファイル４００を更新する場合、ＭＰＵ２０１はパスワード６１の認証を行う。ユーザが入力するパスワードがパスワード６１に一致するとき、ＭＰＵ２０１は移動機番号ファイル４００の更新を許可する。【００３７】
図７は本実施例に係る時刻５０１の設定のシーケンス図である。【００３８】
携帯電話機１００は、ＵＳＩＭ１１０に対して、パスワード７１と時刻５０１の登録を依頼する（Ｓ７０１）。ＵＳＩＭ１１０は、ＭＰＵ２０２を用いてパスワード７１と時刻５０１の設定を行う（Ｓ７０２）。ＵＳＩＭ１１０は、パスワード７１と最終時刻情報ファイル５００の登録を完了した後、パスワード７１と最終時刻情報ファイル５００の登録を完了したことを示す完了通知を携帯電話機１００に送信する（Ｓ７０３）。【００３９】
パスワード７１は、最終時刻情報ファイル５００を更新するのに使用するパスワードである。つまり最終時刻情報ファイル５００を更新する場合、ＭＰＵ２０１はパスワード７１の認証を行う。ユーザが入力するパスワードがパスワード７１に一致するとき、ＭＰＵ２０１は最終時刻情報ファイル５００の更新を許可する。【００４０】
図８は本実施例に係る時刻情報の更新のシーケンス図である。【００４１】
携帯電話機１００は、タイマー１１１が計測する時刻を定期的にＵＳＩＭ１１０に送信し、時刻５０１の更新依頼を行う（Ｓ８０１）。【００４２】
ＵＳＩＭ１１０は、携帯電話機１００から受信するタイマー１１１が計測した時刻を参照して、最終時刻情報ファイル５００を更新処理する（Ｓ８０２）。ＵＳＩＭ１１０は、最終時刻情報５００の更新を完了した後、最終時刻情報ファイル５００の更新を完了したことを示す完了通知を携帯電話機１００に送信する（Ｓ８０３）。【００４３】
図９は本実施例に係るユーザ優先網選択情報ファイル３００の登録のシーケンス図である。【００４４】
携帯電話機１００は、ＵＳＩＭ１１０に対して、パスワード９１とユーザ優先網選択情報ファイル３００の登録を依頼する（Ｓ９０１）。ＵＳＩＭ１１０は、ＭＰＵ２０２を用いてパスワード９１とユーザ優先網選択情報ファイル３００の登録を行う（Ｓ９０２）。ＵＳＩＭ１１０は、パスワード９１とユーザ優先網選択情報ファイル３００の登録を完了した後、パスワード９１とユーザ優先網選択情報ファイル３００の登録を完了したことを示す完了通知を携帯電話機１００に送信する（Ｓ９０３）。【００４５】
パスワード９１は、ユーザ優先網選択情報ファイル３００を更新するのに使用するパスワードである。つまりユーザ優先網選択情報ファイル３００を更新する場合、ＭＰＵ２０１はパスワード９１の認証を行う。ユーザが入力するパスワードがパスワード９１に一致するとき、ＭＰＵ２０１はユーザ優先網選択情報ファイル３００の更新を許可する。【００４６】
図１０は本実施例に係るローミング情報１３００の読み込み処理のフローチャートである。【００４７】
まず携帯電話機１００は、ＵＳＩＭ１１０に格納される移動機番号ファイル４００を読み出す。そしてＭＰＵ１０１は、格納部１０２に格納される１０２１と移動機番号４０１が一致するか否か判別する（Ｓ１００１）。移動機番号１０２１と移動機番号４０１が一致しないと判別した場合には（Ｓ１００１  ＮＯ）、携帯電話機１００はローミング情報１３００の読み込み処理を終了する。【００４８】
移動機番号１０２１と移動機番号４０１が一致すると判別した場合（Ｓ１００２  ＹＥＳ）、ＭＰＵ１０１はタイマー１１１が計測する時刻が最終時刻情報ファイル５００の時刻５０１以上であるか否かを判別する（Ｓ１００２）。ＭＰＵ１０１は、タイマー１１１が計測する時刻が時刻５０１よりも小さいと判別した場合（Ｓ１００２  ＮＯ）、携帯電話機１００はローミング情報１３００の読み込み処理を終了する。【００４９】
ＭＰＵ１０１は、タイマー１１１が計測する時刻が時刻５０１以上であると判別した場合（Ｓ１００２  ＹＥＳ）、ＭＰＵ１０１はローミング情報１３００の読み込み処理を行う（Ｓ１００３）。ローミング情報１３００の読み込み処理とは、携帯電話機１００がローミングを行うために基地局などから取得する国情報、位置情報に基づいて、ローミングを行うネットワークなどを選択する処理である。これにより携帯電話機１００は、設定したネットワークを介して、ローミング通信を行うことが可能となる。読み込み処理では、図１１に示すユーザ優先網選択情報ファイル３００の選択処理を行うことも可能である。【００５０】
図１１は本実施例に係るユーザ優先網選択情報ファイル３００の選択処理のフローチャートである。【００５１】
ＭＰＵ１０１は、ＵＳＩＭ１１０に格納される最終登録網情報ファイル１３０７を参照する（Ｓ１１０１）。続いてＭＰＵ１０１はサービス情報ファイル１３０５、サービス許可情報ファイル１３０６を参照する（Ｓ１１０２）。そしてＭＰＵ１０１は、ユーザ優先網選択情報ファイル３００が登録されているか否か判別する（１１０３）。【００５２】
ＭＰＵ１０１が、ユーザ優先網選択情報ファイル３００が登録されていると判別した場合には（Ｓ１１０３  ＹＥＳ）、ユーザ優先網選択情報ファイル３００に記載されているネットワークの優先度に応じて、ローミング可能なネットワークを選択する（Ｓ１１０５）。【００５３】
ＭＰＵ１０１が、ユーザ優先網選択情報ファイル３００が登録されていないと判別した場合には（Ｓ１１０３  ＮＯ）、ホーム網選択情報ファイル１３０３が登録されているか否か判別する（Ｓ１１０４）。ホーム網選択情報ファイル１３０３も登録されている場合には（Ｓ１１０４  ＹＥＳ）、ホーム網選択情報ファイル１３０３を選択し、ホーム網選択情報ファイル１３０３に記載されているネットワークの優先度に応じて、ローミング可能なネットワークを選択する（Ｓ１１０６）。【００５４】
ＭＰＵ１０１が、ホーム網選択情報ファイル１３０３も登録されていないと判別した場合には（Ｓ１１０４  ＮＯ）、ローミングを行うネットワークを選択せず終了する。【００５５】
図１２は本実施例に係るユーザ優先網選択情報ファイル３００の更新処理のフローチャートである。【００５６】
ＭＰＵ２０２は、操作部１０６からの入力などに基づいて、ユーザ優先網選択情報ファイル３００を作成する（Ｓ１２０１）。そしてＭＰＵ１０１は、携帯電話機１００が圏外であるか否か判別する（Ｓ１２０２）。携帯電話機１００が圏外か否かは、例えば送受信部１０３が基地局などから位置情報などを受信できるかできないかで判別する。【００５７】
ＭＰＵ１０１が、携帯電話機１００が圏外でないと判別した場合（Ｓ１２０２  ＮＯ）、ＭＰＵ１０１は、タイマー１１１が計測する時刻がローミングするために選択したネットワークの使用可能期間内であるか否か判別する（Ｓ１２０３）。ＭＰＵ１０１が、タイマー１１１が計測する時刻がローミングするのに選択したネットワークの使用可能期間内であると判別した場合には（Ｓ１２０３  ＹＥＳ）、再び携帯電話機１００が圏外であるか否かを判別する（Ｓ１２０２）。タイマー１１１が計測する時刻がローミングするのに選択したネットワークの使用可能期間内でない場合は（Ｓ１２０３  ＮＯ）、ＭＰＵ２０２は、ユーザ優先網選択情報ファイル３００を再作成する（Ｓ１２０４）。これによりＭＰＵ２０２が格納領域２０１から最終時刻情報ファイル５００とユーザ優先網選択情報ファイル３００を読み出して比較することによって、ローミングに使用するネットワークが使用可能か否か判別することができる。【００５８】
ＭＰＵ１０１が、携帯電話機１００が圏外であると判別した場合（Ｓ１２０２  ＹＥＳ）、圏内になるまで携帯電話機１００は待機する（Ｓ１２０５）。そしてＭＰＵ１０１は、タイマー１１１が計測する時刻がローミングするために選択したネットワークの使用可能期間内であるか否か判別する（Ｓ１２０６）。ＭＰＵ１０１が、タイマー１１１が計測する時刻がローミングするのに選択したネットワークの使用可能期間内でないと判別した場合には（Ｓ１２０６  ＮＯ）、ユーザ優先網選択情報ファイル３００の選択処理を再起動する（Ｓ１２０７）。そしてＭＰＵ２０２は、ユーザ優先網選択情報ファイル３００を再作成する（Ｓ１２０４）。ＭＰＵ１０１が、タイマー１１１が計測する時刻がローミングするのに選択したネットワークの使用可能期間内であると判別した場合には（Ｓ１２０６  ＹＥＳ）、再びＭＰＵ１０１は、タイマー１１１が計測する時刻がローミングするために選択したネットワークの使用可能期間内であるか否か判別する（Ｓ１２０６）。【００５９】
本発明に係る選択手段が行う処理は、本実施例におけるＭＰＵ１０１が行う処理に含まれる。また本発明に係る判別手段が行う処理は、本実施例におけるＭＰＵ１０１が行う処理に含まれる。また本発明に係る通信手段が行う処理は、本実施例における送受信部１０３が行う処理に含まれる。また本発明に係る記憶手段が行う処理は、本実施例に係る格納領域２０１が行う処理に含まれる。また本発明における識別情報は、本実施例における移動機番号ファイル４００に相当するものである。
【産業上の利用可能性】
【００６０】
本発明による通信装置は、他の通信装置との通信に使用するネットワークの使用可能期間を設定するものである。したがって、本発明による通信装置は、ローミング機能を有する携帯電話機での通信を行う上で極めて有用である。
【図１】
2008126281.tif 000003
【図２】
2008126281.tif 000004
【図３】
2008126281.tif 000005
【図４】
2008126281.tif 000006
【図５】
2008126281.tif 000007
【図６】
2008126281.tif 000008
【図７】
2008126281.tif 000009
【図８】
2008126281.tif 000010
【図９】
2008126281.tif 000011
【図１０】
2008126281.tif 000012
【図１１】
2008126281.tif 000013
【図１２】
2008126281.tif 000014
【図１３】
2008126281.tif 000015
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
ネットワークを介して通信可能な通信装置において、
他の通信装置との通信に使用し、接続可能なネットワークを選択する選択手段と、
現在時刻が、選択したネットワークの使用可能期間内であるか否かを判別する判別手段と、
該現在時刻が該使用期間外であるとき、該選択したネットワークを介して他の通信装置との通信を禁止する禁止手段と、
からなることを特徴とする通信装置。
【請求項２】
請求項１に記載の通信装置において、
該ネットワークはローミング通信に使用するネットワークであり、
該ローミング通信に使用するネットワークを識別するネットワーク番号と該ネットワークが属する国を識別する国番号を記憶する記憶手段と、
からなることを特徴とする通信装置。
【請求項３】
請求項２に記載の通信装置において、
該記憶手段は、該ネットワーク番号と該国番号と関連付けて、該ネットワーク番号が識別するネットワークの使用可能期間を記憶することを特徴とする通信装置。
【請求項４】
請求項１に記載の通信装置は、
該通信装置の識別情報を保持するＵＳＩＭカードを備え、
該現在時刻を計測する時計を有し、
該ＵＳＩＭカードは、該時計が計測する現在時刻を定期的に記憶することを特徴とする通信装置。
【請求項５】
請求項４に記載の通信装置は、
所定の時間間隔で該ＵＳＩＭカードに記憶する現在時刻を更新する更新手段を有することを特徴とする通信装置。
【請求項６】
ネットワークを介して通信可能な通信装置において実行する不正通信防止方法において、
他の通信装置との通信に使用し、接続可能なネットワークを選択する選択手順と、
現在時刻が、選択したネットワークの使用可能期間内であるか否かを判別する判別手順と、
該現在時刻が該使用期間外であるとき、該選択したネットワークを介して他の通信装置との通信を禁止する禁止手順と、
からなることを特徴とする不正通信防止方法。
【請求項７】
ネットワークを介して通信可能な通信装置において実行する不正通信防止プログラムにおいて、通信装置が、
他の通信装置との通信に使用し、接続可能なネットワークを選択する選択ステップと、
現在時刻が、選択したネットワークの使用可能期間内であるか否かを判別する判別ステップと、
該現在時刻が該使用期間外であるとき、該選択したネットワークを介して他の通信装置との通信を禁止する禁止ステップと、
を実行することを特徴とする不正通信防止プログラム。
【国際調査報告】
2008126281.tif 000016
2008126281.tif 000017
2008126281.tif 000018
2008126281.tif 000019